(57)【要約】【課題】  大型のストロボ装置を搭載可能にしたカメラ付き折り畳み式携帯電話機を提供する。【解決手段】  第１筐体１と第２筐体２とがヒンジを介して開閉自在に連結され、かつ、第１筐体１には、その第１筐体１から突出して使用可能となる突出位置と、第１筐体１内に収納される収納位置と、に出没可能なストロボ装置３が、突出方向に付勢されて設けられる一方、第２筐体２には、第１筐体１が閉じられた状態にて、ストロボ装置３を前記収納位置に係止し、第１筐体１を開くと、ストロボ装置３の突出を許容する係止部材８が、設けられている。【選択図】  図１
2006121283.tif 000002
【特許請求の範囲】
【請求項１】
第１筐体と第２筐体とがヒンジを介して開閉自在に連結され、かつ、前記第１筐体には、該第１筐体から突出して使用可能となる突出位置と前記第１筐体内に収納される収納位置とに出没可能な補助光源装置が設けられることを特徴とするカメラ付き折り畳み式携帯電話機。
【請求項２】
前記補助光源装置は、前記第１筐体を開いた状態では該第１筐体から突出した状態となり、前記第１筐体を閉じた状態では該第１筐体内に収納された状態となることを特徴とする請求項１に記載のカメラ付き折り畳み式携帯電話機。
【請求項３】
前記補助光源装置は、突出方向に付勢されて設けられる一方、前記第２筐体には、前記第１筐体が閉じられた状態にて、前記補助光源装置を前記収納位置に係止し、前記第１筐体を開くと前記補助光源装置の突出を許容する係止部材が設けられることを特徴とする請求項１または２に記載のカメラ付き折り畳み式携帯電話機。
【発明の詳細な説明】
【技術分野】
【０００１】
本発明は、カメラ付き折り畳み式携帯電話機に関し、特に、ストロボ装置などの補助光源装置を備えたカメラ付き折り畳み式携帯電話機に関する。
【背景技術】
【０００２】
従来のカメラ付き折り畳み式携帯電話機は、ディスプレイが大画面化する傾向にあり（例えば、特許文献１参照）、筐体表面上に他の装備を設置するためのスペースが確保しにくい状況となっている。
【特許文献１】特開２００１−１３６２４７号公報
【発明の開示】
【発明が解決しようとする課題】
【０００３】
さらに、上記従来のカメラ付き折り畳み式携帯電話機では、カメラモジュールの高画素化の要請が強くなっており、そのためストロボ装置などの補助光源装置が必須となるだけでなく、その光量の増加が求められるため、充分な光量を確保できるだけの補助光源装置を装備する必要がある。そのため、補助光源装置は自ずと大型なものとならざるを得ない。
【０００４】
しかしながら、大画面化したディスプレイのため、筐体表面上には高画素のカメラモジュールに対応した大型の補助光源装置を設置することは非常に困難となっている。
【０００５】
本発明は、このような実情に鑑みてなされ、高画素のカメラモジュールに対応した大型のストロボ装置などの補助光源装置を設置できるようにしたカメラ付き折り畳み式携帯電話機を提供することを目的とする。
【課題を解決するための手段】
【０００６】
本発明に係るカメラ付き折り畳み式携帯電話機は、第１筐体と第２筐体とがヒンジを介して開閉自在に連結され、かつ、前記第１筐体には、該第１筐体から突出して使用可能となる突出位置と前記第１筐体内に収納される収納位置とに出没可能な補助光源装置が設けられることを特徴とする。
【０００７】
このような構成によれば、補助光源装置を第１筐体の表面上にレイアウトしていないため、例えば第１筐体の両面に大型のディスプレイなどがレイアウトされていても、このディスプレイに干渉されることなく、大型の補助光源装置を搭載することができる。
【０００８】
また、前記補助光源装置は、前記第１筐体を開いた状態では該第１筐体から突出した状態となり、前記第１筐体を閉じた状態では該第１筐体内に収納された状態となるようにしてもよい。
【０００９】
このような構成によれば、第１筐体を開いた状態、すなわち撮影を行う状態で補助光源装置を突出させ、第１筐体を閉じた状態、すなわち撮影を行わない状態で補助光源装置を収納させているので、撮影を行うときは、第１筐体を開くだけで補助光源装置を用いた撮影に即座に対応でき、使い勝手が向上する。
【００１０】
また、前記補助光源装置は、突出方向に付勢されて設けられる一方、前記第２筐体には、前記第１筐体が閉じられた状態にて、前記補助光源装置を前記収納位置に係止し、前記第１筐体を開くと前記補助光源装置の突出を許容する係止部材が設けられるようにしてもよい。
【００１１】
このような構成によれば、第１筐体を閉じた状態では、補助光源装置を収納位置に係止させておくことができ、第１筐体を開くと、補助光源装置が突出位置に突出し、使用可能な状態となる。そして補助光源装置を収納位置に戻すときは、第１筐体を閉じてから補助光源装置をユーザが手で押し戻し、第２筐体に設けられた係止部材と係合させるようになっている。すなわち、補助光源装置を収納位置に戻すための機構を省略し、かかる収納動作をユーザの手で行うようにすることで、コストを抑えつつ上記と同様の作用・効果を奏することができる。
【発明の効果】
【００１２】
本発明のカメラ付き折り畳み式携帯電話機は、第１筐体を開くと、カメラの使用に対応するため補助光源装置が突出位置に突出して使用可能な状態となり、また、第１筐体内に収納された状態では、通常カメラは使用しないため、補助光源装置を第１筐体内に収納するようにしている。すなわち、補助光源装置を第１筐体の表面上にレイアウトしていないため、例えば第１筐体の両面に大型のディスプレイなどがレイアウトされていても、このディスプレイに干渉されることなく、大型の補助光源装置を搭載することができる。また、カメラを使用するときは第１筐体を開く動作だけでストロボ撮影に即対応できるため、使い勝手も向上する。
【発明を実施するための最良の形態】
【００１３】
以下に、本発明の最良の実施の形態に係るカメラ付き折り畳み式携帯電話機について図面を参照しつつ詳細に説明する。
【００１４】
図１は、カメラ付き折り畳み式携帯電話機（以下、携帯電話機という）の折り畳まれた状態の要部構成を示す。図１にて、符号１は第１筐体、２は第２筐体で、第１筐体１に対して図示省略のヒンジによって開閉自在に連結されている。３は補助光源装置としてのストロボ装置、４は、ストロボ装置３の背面（折り畳まれた状態で第２筐体２と対向する側の面）に設けられた被係止爪、５は、ストロボ装置３を突出方向に付勢する圧縮バネ、６は、第１筐体１の背面（折り畳まれた状態で第２筐体２と対向しない側の面）に設けられた背面ディスプレイ、７は第１筐体１の正面（折り畳まれた状態で第２筐体２と対向する側の面）に設けられたメインディスプレイ、８は、ストロボ装置３に設けられた被係止爪４を係止するための出没自在な係止爪（本発明の係止部材）、９は、係止爪８を突出方向に付勢する圧縮バネである。なお、第１筐体１の背面側には、図示省略のカメラモジュールが設けられている。また、ストロボ装置３は閃光放電管もしくはLEDなどの光源（不図示）が内装されており、該光源からの光がストロボ装置３から第１筐体１の背面側に向けて放射されるようになっている。
【００１５】
上述のストロボ装置３の底部には支持棒１０が取り付けられ、その支持棒１０が、第１筐体１の背面ディスプレイ６とメインディスプレイ７の間に固定された支持部材１１の棒孔に摺動自在かつ抜け止め状態に嵌挿されており、その支持部材１１とストロボ装置３の底部との間に、支持棒１０に嵌挿された圧縮バネ５が介装され、ストロボ装置３が、第１筐体１から突出して使用可能となる突出位置（図２（ａ）参照）と、第１筐体１内に収納される収納位置（図１参照）と、に出没可能となっている。
【００１６】
このような構成により、図１に示すように、携帯電話機を閉じた状態では、ストロボ装置３は、その背面に設けた被係止爪４が、第２筐体２に設けた係止爪８に係止されて、第１筐体１内の収納位置に収納されており、その一部が、背面ディスプレイ６とメインディスプレイ７の間に嵌まり込んでいる。
【００１７】
一方、携帯電話機を開くと、図２（ａ）に示すように、第１筐体１が回動動作によって第２筐体２から離間する際に、係止爪８による被係止爪４への係止状態が解除されるため、圧縮バネ５の付勢力によってストロボ装置３が突出し使用可能な突出位置に変位する。この状態では、ストロボ装置３を使用して撮像可能となる。
【００１８】
そして、撮像が終了すれば、携帯電話機を折り畳み、図２（ｂ）に示すように、ストロボ装置３を第１筐体１内に手で押し込めば、被係止爪４のテーパー面が、係止爪８のテーパー面に当接して、係止爪８が圧縮バネ９の付勢力に抗して第２筐体２内に押し下げられ、一旦、係止爪８を乗り越えた後、ストロボ装置３が収納位置に収納された時点で、係止爪８が再び突出して、図１に示すように、被係止爪４を係止し、ストロボ装置３を非使用状態として、収納位置に係止させた状態に保持する。
【００１９】
以上のように、本実施の形態によれば、ストロボ装置３を第１筐体１に出没自在に設け、携帯電話機を閉じた状態では、ストロボ装置３を第１筐体１内の収納位置に収納しており、携帯電話機を開くと、ストロボ装置３が突出位置に突出し使用可能状態となるようになっている。つまり、第１筐体１を閉じた状態では通常カメラモジュール（不図示）は使用しないため、ストロボ装置３を第１筐体１内に収納させるようにしており、携帯電話機を開いた状態ではカメラモジュール（不図示）の使用に対応するため、ストロボ装置３を突出位置に突出させ使用可能となるようにしている。すなわち、ストロボ装置３を第１筐体１の表面上にレイアウトしていないため、第１筐体１の各表面にメインディスプレイ７および背面ディスプレイ６がレイアウトされているにもかかわらず、これら両ディスプレイ６，７に干渉されることなく、大型のストロボ装置３を搭載することができる。カメラモジュール（不図示）を使用するときは携帯電話機を開くだけでストロボ撮影に即対応できるため、使い勝手も向上する。
【００２０】
尚、本発明はもちろん、上記実施形態に限定されるものではなく、本発明の要旨を逸脱しない範囲で種々の変更が可能である。
【産業上の利用可能性】
【００２１】
本発明にかかるカメラ付き折り畳み式携帯電話機は、補助光源装置を第１筐体に出没自在に設け、非使用状態では第１筐体内に収納するので、レイアウトの自由度が顕著に向上し設計条件が緩和されるため、カメラ付き折り畳み式携帯電話機に有用である。
【００２２】
本発明にかかるカメラ付き折り畳み式携帯電話機は、補助光源装置を第１筐体に出没自在に設け非使用状態では第１筐体内に収納するので、レイアウトの自由度が顕著に向上し設計条件が緩和されるため、補助光源装置の光量の増加にも有効に対処することができ、特に、高画素化が要求されるカメラ付き折り畳み式携帯電話機の分野に好適である。
【図面の簡単な説明】
【００２３】
【図１】本発明の一実施形態に係るストロボ装置付き折り畳み式携帯電話機の要部断面図
【図２】（ａ）は第１筐体を開いてストロボ装置を突出させた状態の説明図、（ｂ）は第１筐体を閉じてストロボ装置を収納位置に押し込むときの説明図
【符号の説明】
【００２４】
１  第１筐体
２  第２筐体
３  ストロボ装置
８  係止部材
【図１】
2006121283.tif 000003
【図２】
2006121283.tif 000004